(57)【特許請求の範囲】
【請求項１】
第一の方向に沿って延びるとともに前記第一の方向と直交する第二の方向に並べられた複数の第一のシリンドリカルレンズと、互いに隣接した二つの前記第一のシリンドリカルレンズの間から突出して前記第一の方向に沿って延びる複数の第一の突出部と、互いに隣接した二つの前記第一のシリンドリカルレンズの間に位置され前記第一の突出部が設けられない複数の第一の谷部と、を有した第一のレンズ部材と、
前記第一のレンズ部材と同じ構成を有し、前記複数の第一のシリンドリカルレンズと同じ構成の複数の第二のシリンドリカルレンズと、前記複数の第一の突出部と同じ構成の複数の第二の突出部と、互いに隣接した二つの前記第二のシリンドリカルレンズの間に位置され前記第二の突出部が設けられない複数の第二の谷部と、を有した第二のレンズ部材と、
を備え、
前記第一のレンズ部材および前記第二のレンズ部材が、前記複数の第一の突出部のそれぞれの先端が前記第二の谷部に挿入されるとともに前記複数の第二の突出部のそれぞれの先端が前記第一の谷部に挿入された状態で、互いに重ねられた、画像表示装置。
【請求項２】
前記第一のレンズ部材および前記第二のレンズ部材の双方がレンズ部を有し、
前記画像の媒体には、前記画像に対する位置が固定された第一のマークが、前記レンズ部によって視覚的に拡大された状態で、前記第一のレンズ部材および前記第二のレンズ部材と前記画像との位置合わせに用いられるよう設けられた、請求項１に記載の画像表示装置。
【請求項３】
前記レンズ部は、前記第一のシリンドリカルレンズおよび前記第二のシリンドリカルレンズのうち少なくとも一方を含む、請求項２に記載の画像表示装置。
【請求項４】
前記第一のマークと、前記第一のマークが前記レンズ部によって視覚的に拡大された像とが、前記第一のレンズ部材および前記第二のレンズ部材と前記画像との位置合わせに用いられるよう構成された、請求項２または３に記載の画像表示装置。
【請求項５】
前記媒体には、前記画像に対する位置が固定されて前記第一の方向に沿って延びた線分状の複数の前記第一のマークが、複数の前記第一のシリンドリカルレンズおよび前記複数の第二のシリンドリカルレンズの前記第二の方向における第一の設置間隔とは異なる第二の設置間隔で前記第二の方向に配置された、請求項３に記載の画像表示装置。
【請求項６】
前記媒体には、
前記第二の設置間隔が前記第一の設置間隔よりも大きい第一の領域と、
前記第二の設置間隔が前記第一の設置間隔よりも小さい第二の領域と、
が設けられた、請求項５に記載の画像表示装置。
【請求項７】
前記第一の領域と複数の前記第二の領域とが、前記第一の方向に沿って交互に配置された、請求項６に記載の画像表示装置。
【請求項８】
前記画像に対する位置が固定された第二のマークの少なくとも一部が、前記第一の突出部または前記第二の突出部と重なる位置で、前記第一のレンズ部材および前記第二のレンズ部材と前記画像とが位置合わせされるよう構成された、請求項２〜７のうちいずれか一つに記載の画像表示装置。
【請求項９】
前記画像に対する位置が固定された第二のマークの少なくとも一部が、互いに隣接する二つの前記第一のシリンドリカルレンズの境界部分および互いに隣接する二つの前記第二のシリンドリカルレンズの境界部分と重なる位置で、前記第一のレンズ部材および前記第二のレンズ部材と前記画像とが位置合わせされるよう構成された、請求項２〜８のうちいずれか一つに記載の画像表示装置。
【発明の詳細な説明】
【技術分野】
【０００１】
本発明の実施形態は、画像表示装置に関する。
【背景技術】
【０００２】
従来、二つのレンチキュラーレンズと、クロストークを低減する構成要素と、を有した画像表示装置が知られている。
【先行技術文献】
【特許文献】
【０００３】
【特許文献１】特開２０１４−１９９３９３号公報
【発明の概要】
【発明が解決しようとする課題】
【０００４】
レンチキュラーレンズを用いた画像表示装置では、例えば、より不都合の少ない新規な構成が得られれば、有意義である。
【課題を解決するための手段】
【０００５】
実施形態の画像表示装置は、例えば、第一のレンズ部材と、第二のレンズ部材と、を備える。第一のレンズ部材は、第一の方向に沿って延びるとともに第一の方向と直交する第二の方向に並べられた複数の第一のシリンドリカルレンズと、互いに隣接した二つの第一のシリンドリカルレンズの間から突出して第一の方向に沿って延びる複数の第一の突出部と、互いに隣接した二つの第一のシリンドリカルレンズの間に位置され第一の突出部が設けられない複数の第一の谷部と、を有する。第二のレンズ部材は、第一のレンズ部材と同じ構成を有し、複数の第一のシリンドリカルレンズと同じ構成の複数の第二のシリンドリカルレンズと、複数の第一の突出部と同じ構成の複数の第二の突出部と、互いに隣接した二つの第二のシリンドリカルレンズの間に位置され第二の突出部が設けられない複数の第二の谷部と、を有する。第一のレンズ部材および第二のレンズ部材は、複数の第一の突出部のそれぞれの先端が第二の谷部に挿入されるとともに複数の第二の突出部のそれぞれの先端が第一の谷部に挿入された状態で、互いに重ねられる。
【図面の簡単な説明】
【０００６】
【図１】図１は、第１実施形態の画像表示装置の一部の例示的かつ模式的な側面図である。
【図２】図２は、第１実施形態の第１変形例の画像表示装置の一部の例示的かつ模式的な側面図である。
【図３】図３は、第１実施形態の画像表示装置における、視域角と光量との対応関係の例示的なグラフである。
【図４】図４は、第１実施形態の画像表示装置から突出部が除去された参考例における、視域角と光量との対応関係の例示的なグラフである。
【図５】図５は、第１実施形態の画像表示装置の例示的かつ模式的な分解斜視図である。
【図６】図６は、第１実施形態の画像表示装置の画像が描かれるとともにマークが設けられた媒体とレンズアセンブリとの例示的かつ模式的な平面図であって、画像が描かれるとともにマークが設けられた媒体とレンズアセンブリとが位置合わせされた状態が示された図である。
【図７】図７は、第１実施形態の画像表示装置の画像が描かれるとともにマークが設けられた媒体とレンズアセンブリとの例示的かつ模式的な平面図であって、画像が描かれるとともにマークが設けられた媒体とレンズアセンブリとが位置合わせされる前のずれた状態が示された図である。
【図８】図８は、第１実施形態の画像表示装置の例示的かつ模式的な側面図であって、画像が描かれるとともにマークが設けられた媒体とレンズアセンブリとが位置合わせされた状態が示された図である。
【図９】図９は、第１実施形態の第２変形例の画像表示装置の例示的かつ模式的な分解斜視図である。
【図１０】図１０は、第１実施形態の第３変形例の画像表示装置の画像が描かれるとともにマークが設けられた媒体および位置決め部材の例示的かつ模式的な分解斜視図である。
【図１１】図１１は、第１実施形態の第４変形例の画像表示装置の画像が描かれるとともにマークが設けられた媒体および位置決め部材の例示的かつ模式的な分解斜視図である。
【図１２】図１２は、第２実施形態の画像表示装置の画像が描かれた媒体に設けられたマークの例示的かつ模式的な平面図である。
【図１３】図１３は、レンズアセンブリを通じて見える図１２のマークの一部の例示的な平面図であって、媒体とレンズアセンブリとが位置合わせされた状態での図である。
【図１４】図１４は、レンズアセンブリを通じて見える図１２のマークの一部の例示的な平面図であって、媒体とレンズアセンブリとが位置合わせされていない状態での図である。
【図１５】図１５は、レンズアセンブリを通じて見える図１２のマークの一部の例示的な平面図であって、媒体とレンズアセンブリとが位置合わせされていない状態でのより広い範囲の図である。
【図１６】図１６は、第２実施形態の変形例の画像表示装置の画像が描かれた媒体に設けられたマークの例示的かつ模式的な平面図である。
【図１７】図１７は、レンズアセンブリを通じて見える図１６のマークの一部の例示的な平面図であって、媒体とレンズアセンブリとが位置合わせされた状態での図である。
【図１８】図１８は、レンズアセンブリを通じて見える図１６のマークの一部の例示的な平面図であって、媒体とレンズアセンブリとが位置合わせされていない状態での図である。
【図１９】図１９は、レンズアセンブリを通じて見える図１６のマークの一部の例示的な平面図であって、媒体とレンズアセンブリとが位置合わせされていない状態でのより広い範囲の図である。
【発明を実施するための形態】
【０００７】
以下、本発明の例示的な実施形態が開示される。以下に示される実施形態の構成や制御（技術的特徴）、ならびに当該構成や制御によってもたらされる作用および結果（効果）は、一例である。また、以下に例示される複数の実施形態および変形例には、同様の構成要素が含まれている。以下、同様の構成要素には共通の符号が付与され、重複する説明が省略される。
【０００８】
＜第１実施形態＞
図１に例示されるように、本実施形態の画像表示装置１は、互いにＺ方向に重ねて配置されたレンズアセンブリ２と、媒体３と、を有する。Ｚ方向は、厚さ方向や積み重ね方向と称され得る。ユーザは、媒体３の面３ａに描かれた画像（不図示）を、レンズアセンブリ２を通じて、媒体３とは反対側から見る。レンズアセンブリ２は、レンチキュラーレンズである。ユーザは、レンズアセンブリ２の構成および特性に対応して加工された面３ａの画像を、レンズアセンブリ２を通じて見ることで、例えば、３Ｄ用の眼鏡等を用いることなく、立体像を視認することができる。なお、レンチキュラーレンズの原理および効果は、公知である。
【０００９】
ただし、本実施形態のレンズアセンブリ２は、従来には無い新規な構成を備えている。すなわち、レンズアセンブリ２は、複数のレンズ部材２１，２２を含んでいる。レンズ部材２１，２２は、それぞれ、レンチキュラーレンズである。組に含まれる少なくとも二つのレンズ部材２１，２２は、少なくともレンズ面２１ａ，２２ａが同じ構成の部品であり、例えば同一部品、すなわち同じスペックの部品である。このような構成により、異なるレンズ面を有するレンズ部材によってレンズアセンブリが構成される場合に比べて、レンズ面２１ａ，２２ａ、レンズ部材２１，２２、ひいてはレンズアセンブリ２の製造の手間やコストを低減することができる。より具体的には、例えば、レンズ部材２１，２２が、透明なプラスチック等の合成樹脂材料の射出成形によって構成される場合にあっては、レンズ部材２１，２２の射出成形に用いる型（金型、成形型）が一つで済む分、型の作成に要する手間やコストを低減することができる。なお、レンズ面２１ａ，２２ａは、凸面や、凹凸面等とも称されうる。
【００１０】
レンズ部材２１は、図１の紙面と直交するＸ方向に沿って延びる複数のシリンドリカルレンズ２３を有する。各シリンドリカルレンズ２３は、Ｘ方向に延びる同じ（共通の）形状の凸面２３ａ（曲面）を有している。複数のシリンドリカルレンズ２３は、Ｘ方向と直交する（交叉する）Ｙ方向に沿って互いに隣接した状態で、一定の設置間隔（第一の設置間隔、第一のピッチ）で並んでいる。また、レンズ部材２１は、複数の凸面２３ａを含むレンズ面２１ａとは反対側に、平面状の面２１ｂを有している。Ｘ方向は、第一の方向の一例であり、Ｙ方向は、第二の方向の一例である。レンズ部材２１は、第一のレンズ部材の一例である。また、レンズ部材２１が有するシリンドリカルレンズ２３は、第一のシリンドリカルレンズの一例である。
【００１１】
レンズ部材２２は、レンズ部材２１の媒体３とは反対側に、位置されている。また、レンズ部材２２は、レンズ部材２１と同一部品である。すなわち、レンズ部材２２は、レンズ部材２１のものと同じスペックの複数のシリンドリカルレンズ２３を有する。また、レンズ部材２２は、レンズ面２１ａと同じスペックのレンズ面２２ａと、面２１ｂと同じスペックの面２２ｂと、を有する。レンズ部材２２は、第二のレンズ部材の一例である。また、レンズ部材２２が有するシリンドリカルレンズ２３は、第二のシリンドリカルレンズの一例である。
【００１２】
そして、レンズ部材２１，２２は、互いに逆向きの姿勢、すなわちＺ方向に反転された姿勢で一体化されている。レンズ部材２１，２２は、種々の結合方式や、結合のための部材等によって、結合されうる。レンズ部材２１，２２は、シリンドリカルレンズ２３の頂部（稜線、母線）同士が当接する状態で重なっている。
【００１３】
また、図１に示されるように、レンズ部材２１，２２は、それぞれ複数の突出部２４を有する。突出部２４は、互いに隣接するシリンドリカルレンズ２３，２３の間の谷部２３ｂ（境界部分）に位置され、シリンドリカルレンズ２３が突出する方向（Ｚ方向）に突出している。上述したように、レンズ部材２１，２２は、シリンドリカルレンズ２３の頂部同士が当接する状態で重なっているため、レンズ部材２１の突出部２４は、レンズ部材２２の谷部２３ｂに向けて突出し、レンズ部材２２の突出部２４は、レンズ部材２１の谷部２３ｂに向けて突出する。また、突出部２４は、紙面と直交するＸ方向に沿って壁状に延びている。
【００１４】
上述したように、レンズ部材２１，２２の少なくともレンズ面２１ａ，２２ａ、すなわち、複数のシリンドリカルレンズ２３および複数の突出部２４を含む部分は、同じ構成（仕様）である。よって、複数の突出部２４は、レンズ面２１ａ，２２ａが互いに面するようにレンズ部材２１，２２が重ねられた状態で、Ｚ方向に互いに重なり合わないように配置される必要がある。そこで、図１の例では、レンズ部材２１には、互いに隣接する二つのシリンドリカルレンズ２３の間の谷部２３ｂの一つおきに、突出部２４が位置されており、レンズ部材２２にも、互いに隣接する二つのシリンドリカルレンズ２３の間の谷部２３ｂの一つおきに、突出部２４が位置されている。これにより、レンズアセンブリ２において、Ｙ方向に沿って、レンズ部材２１の突出部２４と、レンズ部材２２の突出部２４とが互い違いに配置された構成が得られる。なお、突出部２４の配置は、これには限定されず、例えば、第１変形例に対応した図２に例示されるように、突出部２４が設けられた一定数ｎ（ｎ≧２、図２ではｎ＝２）の谷部２３ｂと、突出部２４が設けられない一定数ｎの谷部２３ｂとが交互に配置されてもよい。また、例えば、図示されないが、Ｙ方向の中心より一方側の全ての谷部２３ｂに突出部２４が設けられてもよい。こうすれば、レンズ部材２１の突出部２４とレンズ部材２２の突出部２４とが互いに干渉することなくレンズ部材２１，２２が重なり合うことができる。
【００１５】
図１から明らかとなるように、レンズ部材２１の突出部２４の先端部２４ａは、レンズ部材２２の谷部２３ｂに挿入され、レンズ部材２２の突出部２４の先端部２４ａは、レンズ部材２１の谷部２３ｂに挿入されている。レンズ部材２１，２２は、互いに対向するシリンドリカルレンズ２３の稜線同士が接触し、先端部２４ａと谷部２３ｂとの間に、距離が０（ゼロ）以上の微少な隙間が形成されるように構成されている。なお、先端部２４ａは、曲面状に形成されるが、これには限定されない。
【００１６】
このような突出部２４は、遮光部あるいは散乱部として機能する。突出部２４が設けられていることにより、光が遮られるかあるいは散乱される。これにより、図１中に二点鎖線Ｎに示されるように、レンズ部材２１のシリンドリカルレンズ２３を出て本来はレンズ部材２２の直上のシリンドリカルレンズ２３に入射されるべき光が、当該直上のシリンドリカルレンズ２３の隣のシリンドリカルレンズ２３に入射され、ノイズ成分（クロストーク）となるのが、抑制される。図３は、本実施形態の突出部２４が設けられた画像表示装置１における視域角（Ｘ方向回りのＺ方向との角度）と光量との対応関係の例示的なグラフである。また、図４は、突出部２４が設けられていない参考例の画像表示装置１における視域角と光量との対応関係の例示的なグラフである。図３，４より、図３の本実施形態の構成によれば、図４の比較例に比べて、ノイズ成分ＣＴ（クロストーク）が減少していることが理解できよう。突出部２４の表面は、シリンドリカルレンズ２３の表面に比べて粗く形成されうる。突出部２４の表面が粗面である場合、当該突出部２４の表面で光が散乱されやすくなる。なお、突出部２４の表面を粗くするため、レンズ部材２１，２２の型の突出部２４に対応する凹部に、サンドブラスト等の、粗面処理が施されてもよい。
【００１７】
また、本実施形態では、突出部２４は、レンズ部材２１，２２のＹ方向の位置決めに利用される。すなわち、レンズ部材２１，２２のうち一方から突出した突出部２４の先端部２４ａが、他方の谷部２３ｂに挿入されている。よって、突出部２４の先端部２４ａと谷部２３ｂのＹ方向の両側のシリンドリカルレンズ２３との引っ掛かりにより、レンズ部材２１，２２がＹ方向に移動するのが抑制されるとともに、レンズ部材２１，２２の谷部２３ｂ同士がＺ方向に対向した状態が得られる。このようにして、突出部２４は、レンズ部材２１，２２の少なくともＹ方向の位置決め部として機能する。なお、突出部２４は、Ｚ方向の位置決め部として機能することもできる。また、レンズ部材２１のシリンドリカルレンズ２３とレンズ部材２２のシリンドリカルレンズ２３とは、互いに接触してもよいし、しなくてもよい。
【００１８】
媒体３は、例えば、接着されたり結合具が用いられたりすることでレンズアセンブリ２に直接的に取り付けられてもよいし、レンズアセンブリ２に固定されたあるいはレンズアセンブリ２を支持するケース等の別の部材に、位置合わせされた状態で支持されたり取り付けられたりしてもよい。媒体３は、例えば、画像（不図示）が印刷された紙である。
【００１９】
図５，６に例示されるように、レンズアセンブリ２および媒体３には、Ｘ方向およびＹ方向のうち少なくともＹ方向に位置合わせするためのマーク４，５が設けられている。レンズアセンブリ２および媒体３のうち一方（本実施形態では媒体３）には、三つのマーク４（４Ｌ，４Ｃ，４Ｒ）が設けられ、他方（本実施形態ではレンズアセンブリ２）には、一つのマーク５が設けられている。マーク４，５は、いずれも、Ｘ方向、すなわちシリンドリカルレンズ２３が延びる方向に沿って、短冊状（線分状）に延びている。また、三つのマーク４Ｌ，４Ｃ，４Ｒは、等間隔で配置されている。なお、マーク４Ｌ，４Ｃ，４Ｒの間隔は、適宜に離間して設定され、例えば、マーク４Ｌ，４Ｒの間隔が、人間の二つの目の間隔と略一致してもよい。また、これらマーク４，５は、媒体３の主画像とは外れた位置に設けられるとともに、画像表示装置１のケース（不図示）によって覆われてもよい。
【００２０】
図５，６の例では、媒体３に設けられた三つのマーク４のうち中央に位置するマーク４Ｃと、レンズアセンブリ２に設けられたマーク５とが、互いにＺ方向に重なる状態に、レンズアセンブリ２と媒体３（画像）とが位置合わせされる。ユーザは、まず、媒体３に設けられたマーク４の一部（例えば半分程度）がレンズアセンブリ２の端部２ａによって隠されるとともに他の一部（例えば残りの半分程度）が端部２ａから露出される状態に、レンズアセンブリ２と媒体３とをＺ方向に重ねる。そして、ユーザは、レンズアセンブリ２および媒体３のうち少なくとも一方を動かしながら、マーク４Ｃとマーク５とがそれらが延びる方向（Ｘ方向）に連なる状態となる位置、すなわち図６の状態となる位置を探す。そして、ユーザは、図６の状態で、例えば、レンズアセンブリ２と媒体３とを粘着テープを用いて接着したり、ピン等の結合具を用いて結合したりすることにより、レンズアセンブリ２と媒体３とを位置決めされた状態に固定する。
【００２１】
図８は、位置合わせされた状態でのレンズアセンブリ２と媒体３との側面図である。図８に示されるように、本実施形態では、マーク４，５は、レンズアセンブリ２と媒体３とが位置合わせされた状態で、マーク４Ｃと谷部２３ｂおよび突出部２４とがＺ方向に重なり、マーク４Ｌ，４Ｒのそれぞれとシリンドリカルレンズ２３の頂部とがＺ方向に重なるように、設定されている。
【００２２】
よって、図６に示されるように、位置合わせされた状態では、ユーザがレンズアセンブリ２を通して見たマーク４Ｌ，４Ｒの像４１Ｌ，４１Ｒの幅は、レンズアセンブリ２を通さずに直接的に見たマーク４Ｌ，４Ｒの幅よりも大きくなる。また、位置合わせされた状態では、マーク４Ｃと二つのシリンドリカルレンズ２３の間の谷部２３ｂとがＺ方向に重なり、当該谷部２３ｂで光路が大きく屈折するため、マーク４Ｃのレンズアセンブリ２を通した像４１Ｃ（図７参照）は見えない。ただし、この状態では、マーク４Ｃのうちレンズアセンブリ２の端部２ａに隠されていない部分と、レンズアセンブリ２に設けられたマーク５とが、Ｘ方向に直線状に並ぶ。シリンドリカルレンズ２３は、レンズ部の一例である。また、マーク４Ｌ，４Ｒは、第一のマークの一例であり、マーク４Ｃは、第二のマークの一例である。
【００２３】
一方、図７に示されるように、位置合わせされていない状態では、目の位置に対するマーク４Ｃの相対的な設定位置や、マーク４Ｃの幅（大きさ）、レンズアセンブリ２の仕様等の調整によっては、マーク４Ｃのレンズアセンブリ２を通した像４１Ｃが、ある程度、例えば細くあるいは薄く見えるように、構成することができる。なお、図７では、わかりやすさのため、ずれ量が実際のずれ量よりも大きく誇張されて描かれている。
【００２４】
これに対し、上述したように、図６のように位置合わせされている状態では、マーク４Ｃのレンズアセンブリ２を通した像は、谷部２３ｂで大きく屈折するため見えない。すなわち、本実施形態によれば、マーク４Ｃおよびレンズアセンブリ２は、図７の位置合わせされていない状態から図６の位置合わせされた状態に移行する際に、マーク４Ｃのレンズアセンブリ２を通した像４１Ｃが見えている状態から、見えない状態、すなわち、像４１Ｃが消失した状態に、移行するよう、構成されうる。
【００２５】
また、マーク４Ｌ，４Ｒおよび当該マーク４Ｌ，４Ｒのレンズアセンブリ２を通した像４１Ｌ，４１Ｒに関しては、図７の位置合わせされていない状態から図６の位置合わせされた状態に移行する際に、像４１Ｌ，４１Ｒとレンズアセンブリ２に隠されずに直接見えているマーク４Ｌ，４Ｒとが、Ｙ方向にずれている状態から、Ｘ方向に直線状に並んだ状態に移行する。よって、本実施形態の構成によれば、例えば、マーク４Ｃとマーク５とによる概略的な位置合わせが行われた後、マーク４Ｌ，４Ｒと像４１Ｌ，４１Ｒとによるより詳細な（より精度の高い）位置合わせが行われうる。
【００２６】
以上、説明したように、本実施形態では、レンズアセンブリ２に含まれる二つのレンズ部材２１，２２（第一のレンズ部材および第二のレンズ部材）の少なくともレンズ面２１ａ，２２ａ、すなわち、複数のシリンドリカルレンズ２３および複数の突出部２４を含む部分は、同じ構成（仕様）である。よって、例えば、異なる構成（仕様）のレンズ部材を組み合わせてレンズアセンブリが構成される場合に比べて、製造の手間やコストが低減されやすい。また、本実施形態では、突出部２４によって、二つのレンズ部材２１，２２を位置決めできるとともに、クロストークを抑制できる。よって、例えば、位置決めするための構成とクロストークを抑制するための構成とがそれぞれ別個に設けられた場合に比べて、画像表示装置１がより簡素化されたり、より小型化されたりといった利点が得られる。
【００２７】
また、本実施形態では、マーク４Ｌ，４Ｒ（第一のマーク）がシリンドリカルレンズ２３（レンズ部）によって視覚的に（光学的に）拡大された像４１Ｌ，４１Ｒが、レンズアセンブリ２（レンズ部材２１，２２）と媒体３（に設けられた画像）との位置合わせに用いられる。よって、例えば、位置合わせがより容易にあるいはより精度良く行われうる。
【００２８】
また、本実施形態では、位置合わせの際にマーク４を拡大するレンズ部は、シリンドリカルレンズ２３である。よって、例えば、シリンドリカルレンズ２３を、レンズ部としても使うことができるため、シリンドリカルレンズ２３とレンズ部とがそれぞれ別個に設けられた場合に比べて、画像表示装置１がより簡素化されたり、より小型化されたりといった利点が得られうる。
【００２９】
また、本実施形態では、レンズアセンブリ２（レンズ部材２１，２２）と媒体３（画像）とが、マーク４Ｌ，４Ｒと、当該マーク４Ｌ，４Ｒがレンズアセンブリ２を介して視覚的に拡大された像４１Ｌ，４１Ｒと、によって、位置合わせされる。よって、例えば、レンズアセンブリ２に位置合わせのためのマーク５を設ける手間やコストが、低減される場合がある。
【００３０】
また、本実施形態では、マーク４Ｃ（第二のマーク）の少なくとも一部が、谷部２３ｂ（境界部分）と重なって視認できない位置で、レンズアセンブリ２（レンズ部材２１，２２）と媒体３（画像）とが位置合わせされる。よって、例えば、位置合わせされていない状態から位置合わせされた状態に移行する際にマーク４Ｃに対応する像４１Ｃが消えることによって、ユーザは、位置合わせされた状態となったことをより認識しやすくなる。なお、突出部２４（第一の突出部、第二の突出部）は、谷部２３ｂに設けられるため、マーク４Ｃが、突出部２４と重なる位置に設けられる場合もある。
【００３１】
また、図９〜１１に示される変形例のように、マーク４を視覚的に拡大するレンズ部６は、シリンドリカルレンズ２３とは別に設けられてもよい。図９の例では、レンズ部６は、レンズアセンブリ２のシリンドリカルレンズ２３とは外れた端部（角部、辺部、周辺部）に設けられ、図１０，１１の例では、レンズ部６は、レンズアセンブリ２（図１０，１１では不図示）とは別の位置決め部材７に設けられている。これら図９〜１１の例では、画像（不図示）を表示する媒体３に施されたマーク４がレンズ部６によって視覚的に拡大された像（不図示）と、マーク５とによって、レンズアセンブリ２と媒体３とが位置合わせされうる。また、マーク４と、当該マーク４がレンズ部６によって視覚的に拡大された像とが、位置合わせに用いられてもよい。また、マーク４，５のうち少なくとも一つは、図９，１０に示されるように線状であってもよいし、少なくとも一つは、図９〜１１に示されるように十字状であってもよい。また、マーク４，５が十字状である場合や、複数のマーク４，５がＸ方向に離間して配置される場合にあっては、レンズアセンブリ２と媒体３（画像）とは、Ｘ方向にも位置合わせされうる。また、レンズ部６やマーク４，５は、画像表示装置１のケース（不図示）等によって覆われてもよい。
【００３２】
また、図１０，１１の例では、レンズアセンブリ２と媒体３（の画像）とは、位置決め部材７を介して間接的に位置決めされる。具体的には、マーク４，５によって媒体３と位置決め部材７とが位置合わせされた状態で、媒体３が、位置決め部材７のエッジ７ａ（端部）に沿って例えばカッター（不図示）等によって切断される。図１０，１１には、切断線ＣＬが、一点鎖線で示されている。この場合、例えば、媒体３の切断されたエッジ３ｂ（端部）とレンズアセンブリ２の端部（不図示）とが少なくともＹ方向に位置合わせされることによって、レンズアセンブリ２と画像とが位置合わせされうる。また、例えば、画像表示装置１のケース（不図示）とレンズアセンブリ２とが少なくともＹ方向に位置合わせされるとともに、ケースの壁部（不図示）とエッジ３ｂとが互いに突き当たってＹ方向に位置合わせされることによって、レンズアセンブリ２と画像とが少なくともＹ方向に位置合わせされうる。図１０，１１の例によれば、例えば、レンズアセンブリ２にレンズ部６を設けずに済む分、レンズアセンブリ２の製造の手間やコストが低減されたり、レンズアセンブリ２がより簡素に若しくはより小型に構成されたりしうる。
【００３３】
＜第２実施形態＞
第２実施形態は、上記第１実施形態と同様の構成を備えている。よって、第２実施形態によっても、当該同様の構成に基づく同様の効果（結果）が得られる。ただし、本実施形態では、媒体３に設けられるマーク４Ａの構成が上記第１実施形態とは異なっている。具体的には、図１２に示されるように、マーク４Ａには、Ｙ方向に間隔をあけてＸ方向に平行に延びた複数の線４ａが含まれている。また、マーク４Ａには、線４ａの間隔（ピッチ）が異なる複数のパターンＰ１，Ｐ２が含まれている。パターンＰ１とパターンＰ２とで、線４ａの間隔が僅かに異なっている。パターンＰ１は、Ｘ方向の一方側に配置され、パターンＰ２は、Ｘ方向の他方側に位置されている。一つのシリンドリカルレンズ２３のＹ方向の幅に対応した画像のドット数がｄ、すなわちシリンドリカルレンズ２３のＹ方向の幅がｄ（ドット）である場合において、例えば、パターンＰ１の線４ａの間隔はｄ＋ｍ（ドット）に設定され、パターンＰ２の線４ａの間隔はｄ−ｍ（ドット）に設定されている（ｍ：１以上の整数）。なお、図１２の例では、Ｙ方向の中央部には、他の線４ａよりも太くＸ方向に延びる線４ｂが設けられている。パターンＰ１は第一の領域の一例であり、パターンＰ２は第二の領域の一例であり、パターンＰ１の線４ａの間隔は第一の設置間隔の一例であり、パターンＰ２の線４ａの間隔は第二の設置間隔の一例である。また、線４ａは、マーク（第一のマーク）の一例である。なお、パターンＰ１およびパターンＰ２は、図１２に図示されるように隣接して設けられてもよいし、離れて設けられてもよい。また、パターンＰ１およびパターンＰ２のうちいずれか一方のみが設置されていても、位置合わせに利用することは可能である。
【００３４】
図１２のマーク４Ａを、レンズアセンブリ２を通して見た場合、モアレが見える。マーク４Ａの列とレンズアセンブリ２に含まれるシリンドリカルレンズ２３の列とがずれていたり傾いたりした場合にあっては、モアレにより、ずれが視覚的にわかりやすくなる。図１３は、マーク４Ａとレンズアセンブリ２とが位置合わせされている状態、図１４は、マーク４Ａとレンズアセンブリ２とがＹ方向にずれている状態、図１５は、マーク４Ａとレンズアセンブリ２とが傾いている状態である。これらの図１３〜１５から、本実施形態のマーク４Ａを用いることにより、モアレが見え、このモアレの見え方により、位置合わせされているか否かが、よりわかりやすくなることが理解できよう。なお、図１４，１５の状態では、中央の線４ｂが見えにくくなっている。また、マーク４Ａによる位置合わせは、レンズアセンブリ２および媒体３の周縁部で行われうる。また、パターンＰ１，Ｐ２で線４ａの色を異ならせたり、複数の線４ａを複数の色で着色し、当該着色パターンを設定したりすることで、モアレがよりわかりやすくなる場合がある。
【００３５】
＜第２実施形態の変形例＞
図１６の変形例でも、図１２の場合と同様、マーク４Ｂには、Ｙ方向に間隔をあけてＸ方向に平行に延びた複数の線４ａが含まれている。また、マーク４Ｂには、線４ａの間隔（ピッチ）が異なる複数のパターンＰ１，Ｐ２が含まれている。そして、パターンＰ１とパターンＰ２とで、線４ａの間隔が僅かに異なっている。ただし、本変形例では、Ｘ方向に同じ幅（長さ）のパターンＰ１とパターンＰ２とが、Ｘ方向に交互に配置されている。図１２の場合と同様、一つのシリンドリカルレンズ２３のＹ方向の幅に対応した画像のドット数がｄ、すなわちシリンドリカルレンズ２３のＹ方向の幅がｄ（ドット）である場合において、パターンＰ１の線４ａの間隔はｄ＋ｍ（ドット）に設定され、パターンＰ２の線４ａの間隔はｄ−ｍ（ドット）に設定されている（ｍ：１以上の整数）。また、この例でも、Ｙ方向の中央部には、他の線４ａよりも太くＸ方向に延びる線４ｂが設けられている。パターンＰ１は第一の領域の一例であり、パターンＰ２は第二の領域の一例であり、パターンＰ１の線４ａの間隔は第一の設置間隔の一例であり、パターンＰ２の線４ａの間隔は第二の設置間隔の一例である。
【００３６】
図１６のマーク４Ｂを、レンズアセンブリ２を通して見た場合、モアレが見える。マーク４Ｂの列とレンズアセンブリ２に含まれるシリンドリカルレンズ２３の列とがずれていたり傾いたりした場合にあっては、モアレにより、ずれが視覚的にわかりやすくなる。図１７は、マーク４Ｂとレンズアセンブリ２とが位置合わせされている状態、図１８は、マーク４Ｂとレンズアセンブリ２とがＹ方向にずれている状態、図１９は、マーク４Ｂとレンズアセンブリ２とが傾いている状態である。これらの図１７〜１９から、本変形例のマーク４Ｂを用いることにより、モアレが見え、このモアレの見え方により、位置合わせされているか否かが、よりわかりやすくなる。なお、図１７，１８の状態でも、中央の線４ｂが見えにくくなっている。また、本変形例でも、パターンＰ１，Ｐ２で線４ａの色を異ならせたり、複数の線４ａを複数の色で着色し、当該着色パターンを設定したりすることで、モアレがよりわかりやすくなる場合がある。また、図１６〜１９に示された第２実施形態の変形例は、上記第１実施形態と同様の構成を備えている。よって、この変形例によっても、当該同様の構成に基づく同様の効果（結果）が得られる。
【００３７】
以上、本発明の実施形態を例示したが、上記実施形態は一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態は、発明の範囲や要旨に含まれるとともに、特許請求の範囲に記載された発明とその均等の範囲に含まれる。また、各実施形態や各変形例の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。例えば、レンズ部材、シリンドリカルレンズ、突出部、マーク、設置間隔等のスペックは、上記実施形態および変形例には限定されない。また、マークによる位置合わせで用いられるシリンドリカルレンズは、二つのレンズ部材のうちいずれか一方のものであってもよい。また、マークによる位置合わせは、レンズアセンブリと画像（媒体）との位置合わせには限定されず、二つのレンズ部材の位置合わせ等にも同様に適用できる。また、マークによる位置合わせが可能なレンズアセンブリあるいはレンズ部材は、上記実施形態に開示されたものには限定されず、例えば、レンズアセンブリに含まれる二つのレンズ部材は同一形状でなくてもよいし、レンズ部材は突出部を含まなくてもよいし、レンズアセンブリが一つのレンズ部材（一つのレンチキュラーレンズ）のみを含むものであってもよい。また、媒体は、紙や、フィルム、シート等であってもよいし、種々の材質で構成されうる。また、媒体は、例えば、ＬＣＤ（liquid  crystal  display）やＯＥＬＤ（organic  electro-luminescent  display）等の電気的なディスプレイや、電光掲示板、ディジタルサイネージ、他の電気的な表示装置等であってもよい。また、画像は静止画でも動画でもよい。
【００３８】
また、本発明の実施形態は、以下のような構成としても実施できる。
［１］
複数のシリンドリカルレンズを含むレンチキュラーレンズと、レンズ部と、を有したレンズ部材、を備え、
画像が前記レンズ部材を通じて見えるよう構成された画像表示装置であって、
媒体に設けられ前記画像に対する位置が固定された第一のマークが、前記レンズ部によって視覚的に拡大された状態で、前記レンズ部材と前記画像との位置合わせに用いられるよう構成された、画像表示装置。
［２］
前記レンズ部は、複数の前記シリンドリカルレンズのうちのいずれかである、［１］に記載の画像表示装置。
［３］
前記媒体を備えた、［１］または［２］に記載の画像表示装置。
【符号の説明】
【００３９】
１…画像表示装置、４，４Ａ，４Ｂ…マーク、４Ｌ，４Ｒ…（第一の）マーク、４Ｃ…（第二の）マーク、６…レンズ部、２１…レンズ部材（第一のレンズ部材）、２２…レンズ部材（第二のレンズ部材）、２３…（第一または第二の）シリンドリカルレンズ（レンズ部）、２４…（第一または第二の）突出部、４１Ｌ，４１Ｒ…像、Ｐ１…第一の領域、Ｐ２…第二の領域。
【図１】
0006441103.tif 000002
【図２】
0006441103.tif 000003
【図３】
0006441103.tif 000004
【図４】
0006441103.tif 000005
【図５】
0006441103.tif 000006
【図６】
0006441103.tif 000007
【図７】
0006441103.tif 000008
【図８】
0006441103.tif 000009
【図９】
0006441103.tif 000010
【図１０】
0006441103.tif 000011
【図１１】
0006441103.tif 000012
【図１２】
0006441103.tif 000013
【図１３】
0006441103.tif 000014
【図１４】
0006441103.tif 000015
【図１５】
0006441103.tif 000016
【図１６】
0006441103.tif 000017
【図１７】
0006441103.tif 000018
【図１８】
0006441103.tif 000019
【図１９】
0006441103.tif 000020